(57)【要約】      （修正有）【課題】イヤホンジャック等の電子機器のジャックを利用して装飾効果を高めることができる電子機器用装飾物を提供する。【解決手段】電子機器用装飾物１は、電子機器のジャックに挿入される凸部１１と、凸部１１の上記ジャックに挿入される側とは反対側の端部に固定された装飾体であるシャトン１３とを有する。シャトン１３には宝石９が固定されている。凸部１１は、スマートフォン等の電子機器のジャックに挿入されて着脱自在に固定される。【選択図】図１
0003171349.tif 000002
【実用新案登録請求の範囲】
【請求項１】
電子機器のジャックに挿入されて着脱自在に固定される凸部と、
前記凸部の前記ジャックに挿入される側とは反対側に固定され、前記凸部を前記ジャックに挿入した状態で前記ジャックの外側に位置する装飾体と
を有する電子機器用装飾物。
【請求項２】
前記ジャックは、イヤホンジャックである
請求項１に記載の電子機器用装飾物。
【請求項３】
前記装飾体は、装飾部と、前記装飾部を複数の爪で保持するシャトンとを有する
請求項１または請求項２に記載の電子機器用装飾物。
【請求項４】
前記電子機器は、携帯型電子機器である
請求項１〜３のいずれかに記載の電子機器用装飾物。
【考案の詳細な説明】
【技術分野】
【０００１】
本考案は、電子機器のジャックに着脱可能に装着される電子機器用装飾物に関するものである。
【背景技術】
【０００２】
携帯電話などの通信機器は、常に携帯されるものであるため、ユーザの好みに応じてデコレーションされることが多い。
ところで、近年、スマートフォンの普及に伴い、イヤホンジャックを備えた携帯型電子機器が増えている。
【考案の概要】
【考案が解決しようとする課題】
【０００３】
上述したようなスマートフォン等のイヤホンジャックは、イヤホン使用中しか使われない。
【０００４】
本考案はかかる事情に鑑みてなされたものであり、その目的は、イヤホンジャック等の電子機器のジャックを利用して装飾効果を高めることができる電子機器用装飾物を提供することにある。さらに防塵効果を発揮したいという要請もある。
【課題を解決するための手段】
【０００５】
上述した従来技術の問題を解決し、上述した目的を達成するために、本考案の電子機器用装飾物は、電子機器のジャックに挿入されて着脱自在に固定される凸部と、前記凸部の前記ジャックに挿入される側とは反対側に固定され、前記凸部を前記ジャックに挿入した状態で前記ジャックの外側に位置する装飾体とを有する。
【０００６】
本考案の電子機器用装飾物は、電子機器のジャックに挿入するだけで、電子機器を手軽に装飾できる。特に、スマートフォン等の携帯型の電子機器における装飾への要望に適切に応えることができる。また、本考案の電子機器用装飾物は、ジャックに着脱可能であるため、ユーザは様々な種類の電子機器用装飾物を選択して電子機器のジャックに装着できる。また、ジャック未使用時に防塵効果を発揮できる。
【０００７】
好適には、本考案の電子機器用装飾物の前記ジャックは、イヤホンジャックである。
好適には、本考案の電子機器用装飾物の前記装飾体は、装飾部と、前記装飾部を複数の爪で保持するシャトンとを有する。
好適には、本考案の電子機器用装飾物の前記電子機器は、携帯型電子機器である。
【考案の効果】
【０００８】
本考案によれば、イヤホンジャック等の電子機器のジャックを利用して装飾効果を高めることができる電子機器用装飾物を提供することができる。
【図面の簡単な説明】
【０００９】
【図１】図１は、本考案の第１実施形態に係る電子機器用装飾物の正面図である。
【図２】図２は、図１に示す電子機器用装飾物の平面図である。
【図３】図３は、図１に示す電子機器用装飾物の底面図である。
【図４】図４は、図１に示す電子機器用装飾物をスマートフォンのイヤホンジャックに装着した状態を示す図である。
【図５】図５は、本考案の第２実施形態に係る電子機器用装飾物を説明するための図である。
【図６】図６は、本考案の第２実施形態に係る電子機器用装飾物を説明するための図である。
【図７】図７は、本考案の第３実施形態に係る電子機器用装飾物を説明するための図である。
【図８】図８は、本考案の第４実施形態に係る電子機器用装飾物を説明するための図である。
【考案を実施するための形態】
【００１０】
以下、本考案の実施形態に係わる電子機器用装飾物について説明する。
＜第１実施形態＞
図１は本考案の第１実施形態に係る電子機器用装飾物１の正面図、図２は図１に示す電子機器用装飾物１の平面図、図３は図１に示す電子機器用装飾物１の底面図である。
【００１１】
図１〜図３に示すように、電子機器用装飾物１は、電子機器のジャックに挿入される凸部１１と、凸部１１の上記ジャックに挿入される側とは反対側の端部に固定された装飾体であるシャトン（支持部）１３とを有する。
【００１２】
凸部１１は、図４に示すように、スマートフォン等の電子機器３１のジャックに挿入されて着脱自在に固定される。このとき、凸部１１は、ある一定以上の引張力を加えないと、ジャックから外れないような形状をしている。
【００１３】
シャトン１３は、開口部を備えたカップ形状をしており、開口部から宝石９が収容され、シャトン１３と一体的に形成された爪１３ａ，１３ｂ，１３ｃ，１３ｄによって宝石９を固定する。
【００１４】
本実施形態では、電子機器３１のジャックとしては、例えば、スマートフォン等のイヤホンジャック、マイクジャック等が用いられる。
また、上述したようにシャトン１３は、凸部１１の上記ジャックに挿入される側とは反対側の端部に固定されていると共に、外形がジャックの内径より長いため、凸部１１をジャック内に挿入する過程で、電子機器のジャック周辺の端部と接合し、そこに固定される。すなわち、図４に示すように、携帯型の電子機器５０のジャックに挿入した状態でシャトン１３はジャックの外側に位置している。これにより、宝石９およびシャトン１３が装飾効果を発揮する。
【００１５】
上述したように、電子機器用装飾物１によれば、電子機器３１のジャックに挿入するだけで、電子機器を手軽に装飾できる。特に、スマートフォン等の携帯型の電子機器におけるユーザの装飾への要望に適切に応えることができる。また、電子機器用装飾物１は、ジャックに着脱可能であるため、ユーザは様々な種類の電子機器用装飾物１を選択して電子機器３１のジャックに装着できる。
また、電子機器用装飾物１によれば、電子機器３１のジャック不使用時に、ジャックをふさぐことができ、防塵効果を発揮できる。
【００１６】
＜第２実施形態＞
図５および図６は、本考案の第２実施形態の電子機器用装飾物の外観図である。
図５および図６に示すように、電子機器用装飾物１０１は、宝石１０９として複数の小さな宝石を散りばめた形態を有している。
また、シャトン１１３は、外周に様々な模様が形成されている。凸部１１は、第１実施形態と同じである。
【００１７】
＜第３、４実施形態＞
図７は、本考案の第３実施形態の電子機器用装飾物の装飾体のシャトンの外観図である。
当該実施形態のシャトンには、図７に示す模様が形成されている。
図８は、本考案の第４実施形態の電子機器用装飾物の装飾体のシャトンおよび宝石の外観図である。
当該実施形態のシャトンおよび宝石は、図８に示す形態を有している。
【００１８】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、本考案の電子機器の装飾物は、ジャックに着脱可能に装着されるものであれば、装飾体の形態は任意であり、上述したものには限定されない。
【産業上の利用可能性】
【００１９】
本考案は、電子機器の装飾物に適用可能である。
【符号の説明】
【００２０】
１０１…電子機器用装飾物
９…宝石
１１…凸部
１３…シャトン
１３ａ，１３ｂ，１３ｃ，１３ｄ…爪
【図１】
0003171349.tif 000003
【図２】
0003171349.tif 000004
【図３】
0003171349.tif 000005
【図４】
0003171349.tif 000006
【図５】
0003171349.tif 000007
【図６】
0003171349.tif 000008
【図７】
0003171349.tif 000009
【図８】
0003171349.tif 000010